(57)【特許請求の範囲】
【請求項１】
本体部に形成される凹部の底面から突出して光ケーブルが巻回される光ケーブル巻回部を形成してなる光ケーブル余長処理装置において、
前記光ケーブル巻回部は、前記光ケーブルが巻回される巻回部本体と、前記巻回部本体に着脱自在に固定される押さえ部本体とを有し、
前記押さえ部本体に、前記光ケーブル巻回部から側方に突出して、前記光ケーブル巻回部に巻回される前記光ケーブルを押さえる光ケーブル押さえ部を形成し、
前記光ケーブル押さえ部の先端部に、先端から前記底面側に向けて傾斜する案内面を有する光ケーブル案内部を形成し、
前記光ケーブル押さえ部は、前記凹部の内壁部まで延在する平坦部分を有し、
前記光ケーブル案内部の先端部は、前記平坦部分が前記内壁部を越えたところに設けられている
ことを特徴とする光ケーブル余長処理装置。
【請求項２】
請求項１記載の光ケーブル余長処理装置において、
前記光ケーブル案内部は、前記光ケーブル押さえ部の先端を折曲して形成されていることを特徴とする光ケーブル余長処理装置。
【請求項３】
請求項１記載の光ケーブル余長処理装置において、
前記光ケーブル案内部の案内面は、前記底面側に突出して形成される突部からなることを特徴とする光ケーブル余長処理装置。
【請求項４】
請求項１記載の光ケーブル余長処理装置において、
前記凹部の内壁部の前記光ケーブル案内部に対向する位置に、前記光ケーブルを案内する案内凹部を形成してなることを特徴とする光ケーブル余長処理装置。
【請求項５】
請求項４記載の光ケーブル余長処理装置において、
前記案内凹部の両側に、前記凹部の内壁部から内方に向けて突出する突出部を形成してなることを特徴とする光ケーブル余長処理装置。
【請求項６】
請求項１ないし請求項５のいずれか１項記載の光ケーブル余長処理装置において、
前記光ケーブル押さえ部が、弾性を有していることを特徴とする光ケーブル余長処理装置。
【請求項７】
請求項１ないし請求項６のいずれか１項記載の光ケーブル余長処理装置において、
前記本体部は、前記凹部の外側にランド部を形成し、前記光ケーブル巻回部と対向する側のランド部の両側に前記光ケーブルが挿通される通路用凹部をそれぞれ形成するとともに前記光ケーブル巻回部と対向する側のランド部に前記通路用凹部間において前記光ケーブル巻回部に向かって突出する突出部を形成してなることを特徴とする光ケーブル余長処理装置。
【請求項８】
請求項７記載の光ケーブル余長処理装置において、
前記光ケーブル案内部は、複数あり、一つの前記光ケーブル案内部が、前記光ケーブル巻回部と対向する側のランド部に前記通路用凹部間において前記光ケーブル巻回部に向かって突出する突出部まで延在してなることを特徴とする光ケーブル余長処理装置。
【発明の詳細な説明】
【技術分野】
【０００１】
本発明は、光通信用機器等に接続される光ケーブルの余長を処理するための光ケーブル余長処理装置に関する。
【背景技術】
【０００２】
近時、光ケーブルを利用した光通信用機器に接続される光ケーブルを余長処理するための様々な光ケーブル余長処理装置が開発されている。図８は、このような光ケーブル余長処理装置の一例を示している。
この光ケーブル余長処理装置では、本体部１に形成される凹部１ａの底面から突出して光ケーブル巻回部１ｂが形成されている。また、光ケーブル巻回部１ｂから側方に突出して、光ケーブル巻回部１ｂに巻回される光ケーブル２を押さえる光ケーブル押さえ部１ｃが形成されている。
【０００３】
そして、光ケーブル巻回部１ｂに光ケーブル２の余長部分が、所定の曲率半径を保持しながら巻回され、光ケーブル押さえ部１ｃにより光ケーブル２が保持されている。
【特許文献１】特開平１０−２２７９２５号公報
【発明の開示】
【発明が解決しようとする課題】
【０００４】
しかしながら、このような従来の光ケーブル余長処理装置では、光ケーブル巻回部１ｂに光ケーブル２を巻回する時に、光ケーブル押さえ部１ｃが邪魔になり、光ケーブル巻回部１ｂに光ケーブル２を巻回するのに多大な工数を要するという問題があった。
本発明は、かかる従来の問題を解決するためになされたもので、光ケーブル巻回部に光ケーブルを容易，確実に巻回することができる光ケーブル余長処理装置を提供することを目的とする。
【課題を解決するための手段】
【０００５】
請求項１の光ケーブル余長処理装置は、本体部に形成される凹部の底面から突出して光ケーブルが巻回される光ケーブル巻回部を形成してなる光ケーブル余長処理装置において、前記光ケーブル巻回部は、前記光ケーブルが巻回される巻回部本体と、前記巻回部本体に着脱自在に固定される押さえ部本体とを有し、前記押さえ部本体に、前記光ケーブル巻回部から側方に突出して、前記光ケーブル巻回部に巻回される前記光ケーブルを押さえる光ケーブル押さえ部を形成し、前記光ケーブル押さえ部の先端部に、先端から前記底面側に向けて傾斜する案内面を有する光ケーブル案内部を形成し、前記光ケーブル押さえ部は、前記凹部の内壁部まで延在する平坦部分を有し、前記光ケーブル案内部の先端部は、前記平坦部分が前記内壁部を越えたところに設けられていることを特徴とする。
【０００６】
請求項２の光ケーブル余長処理装置は、請求項１記載の光ケーブル余長処理装置において、前記光ケーブル案内部は、前記光ケーブル押さえ部の先端を折曲して形成されていることを特徴とする。
請求項３の光ケーブル余長処理装置は、請求項１記載の光ケーブル余長処理装置において、前記光ケーブル案内部の案内面は、前記底面側に突出して形成される突部からなることを特徴とする。
【０００７】
請求項４の光ケーブル余長処理装置は、請求項１記載の光ケーブル余長処理装置において、前記凹部の内壁部の前記光ケーブル案内部に対向する位置に、前記光ケーブルを案内する案内凹部を形成してなることを特徴とする。
請求項５の光ケーブル余長処理装置は、請求項４記載の光ケーブル余長処理装置において、前記案内凹部の両側に、前記凹部の内壁部から内方に向けて突出する突出部を形成してなることを特徴とする。
【０００８】
請求項６の光ケーブル余長処理装置は、請求項１ないし請求項５のいずれか１項記載の光ケーブル余長処理装置において、前記光ケーブル押さえ部が、弾性を有していることを特徴とする。
請求項７の光ケーブル余長処理装置は、請求項１ないし請求項６のいずれか１項記載の光ケーブル余長処理装置において、前記本体部は、前記凹部の外側にランド部を形成し、前記光ケーブル巻回部と対向する側のランド部の両側に前記光ケーブルが挿通される通路用凹部をそれぞれ形成するとともに前記光ケーブル巻回部と対向する側のランド部に前記通路用凹部間において前記光ケーブル巻回部に向かって突出する突出部を形成してなることを特徴とする。
【０００９】
請求項８の光ケーブル余長処理装置は、
請求項７記載の光ケーブル余長処理装置において、前記光ケーブル案内部は、複数あり、一つの前記光ケーブル案内部が、前記光ケーブル巻回部と対向する側のランド部に前記通路用凹部間において前記光ケーブル巻回部に向かって突出する突出部まで延在してなることを特徴とする。
【発明の効果】
【００１０】
請求項１の光ケーブル余長処理装置では、押さえ部本体に、光ケーブル巻回部から側方に突出して、光ケーブル巻回部に巻回される光ケーブルを押さえる光ケーブル押さえ部を形成し、光ケーブル押さえ部の先端部に、先端から底面側に向けて傾斜する案内面を有する光ケーブル案内部を形成したので、光ケーブル巻回部に光ケーブルを巻回する時に、光ケーブルが、光ケーブル押さえ部の先端部に形成される光ケーブル案内部に案内され光ケーブル押さえ部の内側に導かれる。従って、光ケーブル巻回部に光ケーブルを容易，確実に巻回することができる。
また、光ケーブル押さえ部の光ケーブル案内部を、凹部の内壁部から内方に突出して形成される突出部まで延在したので、光ケーブルが光ケーブル押さえ部の外側に離脱することを確実に防止することができる。
また、光ケーブル巻回部の巻回部本体から押さえ部本体を取り外すことにより、巻回部本体に巻回された光ケーブルを容易に取り外すことができる。
【００１１】
請求項２の光ケーブル余長処理装置では、光ケーブル案内部を、光ケーブル押さえ部の先端を折曲して形成したので、光ケーブル案内部を容易に形成することができる。
【００１２】
請求項３の光ケーブル余長処理装置では、光ケーブル案内部の案内面を、底面側に突部により形成したので、光ケーブル案内部を確実に形成することができる。
請求項４の光ケーブル余長処理装置では、凹部の内壁部の光ケーブル案内部に対向する位置に、光ケーブルを案内する案内凹部を形成したので、光ケーブルを、光ケーブル案内部と案内凹部との間から光ケーブル押さえ部の内側に容易， 確実に導くことができる。
請求項５の光ケーブル余長処理装置では、案内凹部の両側に、凹部の内壁部から内方に向けて突出する突出部を形成したので、突出部により光ケーブル巻回部に巻回した光ケーブルが案内凹部側に移動することが阻止される。従って、光ケーブルが光ケーブル押さえ部の外側に離脱することを確実に防止することができる。
【００１３】
請求項６の光ケーブル余長処理装置では、光ケーブル押さえ部が弾性を有しているため、光ケーブル案内部が光ケーブルの巻回時に変形する。従って、光ケーブルを光ケーブル押さえ部の内側に容易、確実に導くことができる。
請求項７の光ケーブル余長処理装置では、本体部は、凹部の外側にランド部を形成し、光ケーブル巻回部と対向する側のランド部の両側に光ケーブルが挿通される通路用凹部をそれぞれ形成するとともに光ケーブル巻回部と対向する側のランド部に通路用凹部間において光ケーブル巻回部に向かって突出する突出部を形成したので、光ケーブルの巻回が確実にできる。
【００１４】
請求項８の光ケーブル余長処理装置は、光ケーブル案内部は、複数あり、一つの光ケーブル案内部が、光ケーブル巻回部と対向する側のランド部に通路用凹部間において光ケーブル巻回部に向かって突出する突出部まで延在したので、光ケーブル巻回部に光ケーブルを容易，確実に巻回することができる。
【発明を実施するための最良の形態】
【００１５】
以下、本発明の実施形態を図面を用いて詳細に説明する。
(第１の実施形態)
図１および図２は、本発明の光ケーブル余長処理装置の第１の実施形態を示している。
この実施形態では、矩形板状の本体部１１には凹部１３が形成されている。この凹部１３はレーシングトラック状をしており、凹部１３の外側がランド部１５とされている。本体部１１の下部のランド部１５の両側には、光ケーブル１７が挿通される通路用凹部１９，２１が形成されている。
【００１６】
凹部１３の底面１３ａから突出して光ケーブル１７が巻回される光ケーブル巻回部２３が形成されている。なお、この実施形態では、装置の各構成部材は樹脂により形成されている。
光ケーブル巻回部２３は、図３に示すように、光ケーブル１７が巻回される巻回部本体２５と、巻回部本体２５に着脱自在に固定される押さえ部本体２７を有している。巻回部本体２５は円柱状をしており、上面に円柱状の軸部２５ａが形成されている。この軸部２５ａの上端には係止突起２５ｂが形成されている。係止突起２５ｂは軸部２５ａの両側に対向して一対形成されている。
【００１７】
押さえ部本体２７には、軸部２５ａに嵌合する穴部２７ａが形成されている。この穴部２７ａの内側には係止突起２５ｂより大きい形状の嵌合凹部２７ｂが形成されている。嵌合凹部２７ｂは穴部２７ａの両側に対向して一対形成されている。そして、軸部２５ａの係止突起２５ｂの位置に押さえ部本体２７の嵌合凹部２７ｂを位置させ、穴部２７ａに軸部２５ａを挿入し、押さえ部本体２７を回転することで押さえ部本体２７が巻回部本体２５に着脱自在に固定される。
【００１８】
押さえ部本体２７の外周には、光ケーブル巻回部２３に巻回される光ケーブル１７を押さえる光ケーブル押さえ部２９が一体形成されている。この光ケーブル押さえ部２９は、押さえ部本体２７の外周に中心から所定角度を置いて３個形成されている。
光ケーブル押さえ部２９の先端には、光ケーブル案内部２９ａが形成されている。この光ケーブル案内部２９ａは、図４に示すように、先端から凹部１３の底面１３ａ側に向けて傾斜する案内面２９ｂを有している。この実施形態では、光ケーブル案内部２９ａは、光ケーブル押さえ部２９の先端を折曲して形成されている。
【００１９】
光ケーブル押さえ部２９は、図４に示すように、凹部１３の内壁部１３ｂまで延在されている。そして、光ケーブル案内部２９ａが本体部１１のランド部１５の上方に位置されている。この実施形態では、光ケーブル押さえ部２９は、弾性を有する樹脂により形成されている。
本体部１１に形成される凹部１３の内壁部１３ｂには、図１に示すように、内方に突出する突出部１３ｃ，１３ｄ，１３ｅ，１３ｆが形成されている。そして、通路用凹部１９，２１の間に形成される突出部１３ｅには、光ケーブル押さえ部２９の光ケーブル案内部２９ａが延在されている。
【００２０】
上述した光ケーブル余長処理装置では、図１に示すように、光ケーブル巻回部２３の巻回部本体２５の軸部２５ａに押さえ部本体２７を装着した状態で、光ケーブル１７の余長部分が、光ケーブル巻回部２３に沿って巻回される。そして、巻回された余長部分は、光ケーブル押さえ部２９により保持され、光ケーブル巻回部２３から離脱することが防止される。
【００２１】
上述した光ケーブル余長処理装置では、図５の(ａ)に示すように、光ケーブル巻回部２３に光ケーブル１７を巻回する時に、光ケーブル１７が、光ケーブル押さえ部２９の先端部に形成される光ケーブル案内部２９ａに案内され光ケーブル押さえ部２９の内側に導かれる。従って、光ケーブル巻回部２３に光ケーブル１７を容易，確実に巻回することができる。また、光ケーブル押さえ部２９が弾性を有しているため、図５の(ｂ)に示すように、光ケーブル案内部２９ａが光ケーブル１７の巻回時に変形する。従って、光ケーブル１７を光ケーブル押さえ部２９の内側に容易，確実に導くことができる。
【００２２】
また、上述した光ケーブル余長処理装置では、光ケーブル案内部２９ａを、光ケーブル押さえ部２９の先端を折曲して形成したので、光ケーブル案内部２９ａを容易に形成することができる。
そして、上述した光ケーブル余長処理装置では、光ケーブル押さえ部２９の光ケーブル案内部２９ａを、凹部１３の内壁部１３ｂまで延在したので、光ケーブル巻回部２３に巻回した光ケーブル１７が光ケーブル押さえ部２９の外側に離脱することを防止することができる。また、３本のうち１本の光ケーブル押さえ部２９の光ケーブル案内部２９ａを、一対の通路用凹部１９，２１の間の内壁部１３ｂから内方に突出して形成される突出部１３ｅまで延在したので、光ケーブル１７が光ケーブル押さえ部２９の外側に離脱することをより確実に防止することができる。
【００２３】
そして、上述した光ケーブル余長処理装置では、光ケーブル巻回部２３の巻回部本体２５から押さえ部本体２７を取り外すことにより、巻回部本体２５に巻回された光ケーブル１７を容易に取り外すことができる。
(第２の実施形態)
図６は、本発明の光ケーブル余長処理装置の第２の実施形態を示している。なお、この実施形態において第１の実施形態と同一の要素には、同一の符号を付して詳細な説明を省略する。
【００２４】
この実施形態では、凹部１３の内壁部１３ｂには、図１に示した突出部１３ｄ，１３ｆは形成されておらず、代わりに、押さえ部本体２７に追加して形成された２本の光ケーブル押さえ部３１が位置されている。この２本の光ケーブル押さえ部３１は、内壁部１３ｂまで延在され、先端に光ケーブル案内部３１ａが形成されている。
そして、凹部１３の内壁部１３ｂの光ケーブル案内部２９ａ，３１ａに対向する位置に、光ケーブル１７を案内する案内凹部３３が形成されている。この案内凹部３３は、図７に示すように、凹部１３の内壁部１３ｂの外側のランド部１５を曲線状に削った形状とされている。
【００２５】
また、光ケーブル案内部２９ａ，３１ａは、図７に示すように、光ケーブル押さえ部２９，３１の先端から凹部１３側に突出する三角状の突部３５を有しており、この突部３５の案内凹部３３側に案内面３５ａが形成されている。
そして、図６に示すように、案内凹部３３の両側に、凹部１３の内壁部１３ｂから内方に向けて突出する突出部３７が形成されている。
【００２６】
この実施形態では、凹部１３の内壁部１３ｂの光ケーブル案内部２９ａ，３１ａに対向する位置に、光ケーブル１７を案内する案内凹部３３を形成したので、光ケーブル１７を、光ケーブル案内部２９ａ，３１ａと案内凹部３３との間から光ケーブル押さえ部２９の内側に容易，確実に導くことができる。
また、案内凹部３３の両側に、凹部１３の内壁部１３ｂから内方に向けて突出する突出部３７を形成したので、突出部３７により光ケーブル巻回部２３に巻回した光ケーブル１７が案内凹部３３側に移動することが阻止される。従って、光ケーブル１７が光ケーブル押さえ部２９の外側に離脱することを確実に防止することができる。
【００２７】
そして、光ケーブル案内部２９ａ，３１ａを、凹部１３側に案内面３５ａが形成される突部３５により形成したので、光ケーブル案内部２９ａ，３１ａを確実に形成することができる。また、光ケーブル１７が光ケーブル押さえ部２９の外側に離脱しようとすると、突部３５の内側に係止されるため、光ケーブル１７が光ケーブル押さえ部２９の外側に離脱することを効果的に防止することができる。
(実施形態の補足事項)
以上、本発明を上述した実施形態によって説明してきたが、本発明の技術的範囲は上述した実施形態に限定されるものではなく、例えば、以下のような形態でも良い。
【００２８】
(１)上述した第１の実施形態では、光ケーブル押さえ部２９の先端を凹部１３と反対側に折曲して形成した例について説明したが、例えば、凹部１３側に鋭角状に折曲して形成しても良い。
(２)上述した実施形態では、矩形板状の本体部１１に本発明を適用した例について説明したが、矩形板状に限られるものではなく、種々の形状の本体部に本発明を適用することができる。
【図面の簡単な説明】
【００２９】
【図１】本発明の光ケーブル余長処理装置の第１の実施形態を示す正面図である。
【図２】図１のＩＩ−ＩＩ線に沿う端面図である。
【図３】図１の光ケーブル巻回部の詳細を示す斜視図である。
【図４】図１の光ケーブル押さえ部の詳細を示す斜視図である。
【図５】図１の光ケーブル巻回部に光ケーブルを巻回する時の状態を示す説明図である。
【図６】本発明の光ケーブル余長処理装置の第２の実施形態を示す平面図である。
【図７】図６の光ケーブル押さえ部の詳細を示す説明図である。
【図８】従来の光ケーブル余長処理装置の一例を示す平面図である。
【符号の説明】
【００３０】
１１  本体部
１３  凹部
１３ａ  底面
１３ｂ  内壁部
１３ｅ  突出部
１７  光ケーブル
２３  光ケーブル巻回部
２５  巻回部本体
２７  押さえ部本体
２９  光ケーブル押さえ部
２９ａ  光ケーブル案内部
２９ｂ，３５ａ  案内面
３３  案内凹部
３５  突部
【図１】
0004689492.tif 000002
【図２】
0004689492.tif 000003
【図３】
0004689492.tif 000004
【図４】
0004689492.tif 000005
【図５】
0004689492.tif 000006
【図６】
0004689492.tif 000007
【図７】
0004689492.tif 000008
【図８】
0004689492.tif 000009